(57)【特許請求の範囲】
【請求項１】
躯体壁面に固着する躯体固着部、この躯体固着部から外側に張り出してなる張出部、及び張出部から起立してなる支線固定部材取付部を備えてなる躯体固定部材と、支線取付部を備えてなる支線固定部材とを有する支線取付け具であって、
前記支線固定部材は、異なる方向に伸び、異なる長さを有し、それぞれに支線取付部を設けてなる腕部を２以上備えてなるものであることを特徴とする支線取付具。
【発明の詳細な説明】
【０００１】
【発明の属する技術分野】
本発明は、屋根上にテレビアンテナ、太陽熱利用温水器等を設置する際、これらを固定するために屋根材に沿って張設する支線を固定するための支線取付具に関する。
【０００２】
【従来の技術及び発明が解決しようとする課題】
屋根上にアンテナを設置する場合、立設したアンテナ支柱をアンテナ支線で四方に引っ張って固定することがある。この場合、各アンテナ支線は、軒先下方の壁面に取付けた支線取付け具にそれぞれの支線端部を結び付けて張設するのが一般的である。
【０００３】
また、この際に使用する支線取付け具は、軒先下方の鼻隠し板等に取付けるのが一般的であり、従来、当該壁面に固着する躯体固着部５１と、この躯体固着部５１から外側に張り出した張出部５２と、この張出部５２の先端から上方に延びる支線固定部５３からなり、この支線固定部５３に支線取付孔５４を設けてなる構成の支線取付具が一般に知られていた。
【０００４】
ところで、建物によっては支線取付具を取付ける位置（高さ）が制限されたり、軒先屋根部分の厚さが大きく異なるため、支線固定部５３の長さが一定であると建物毎に異なる長さの支線固定部５３を備えた支線取付具をそれぞれ用意しなければならずコスト高になってしまう。
【０００５】
そこで、例えば特開平８−３３０８２４号に係る発明は、図７に示すように、支線固定部（縦片）５３の長さ方向に複数の取付孔（透孔）を設け、取付孔を選択することによって支線固定部（縦片）５３を上下方向に伸縮自在とし、これによって支線取付孔５４の高さを自在に変更できるようにし、軒先下方の壁面からの軒先の高さや屋根材の高さなどに対応して異なる支線取付具を準備する必要がないようにしている。
【０００６】
本発明は、特開平８−３３０８２４号に開示された構成とは異なる構成によって支線取付部の高さを自在に変更することができるようにせんとするものである。
【０００７】
【課題を解決するための手段】
かかる課題を解決するため、本発明は、躯体壁面に固着する躯体固着部、この躯体固着部から外側に張り出してなる張出部、及び張出部から起立してなる支線固定部材取付部を備えてなる躯体固定部材と、支線取付部を備えてなる支線固定部材とを有する支線取付け具において、前記支線固定部材を、異なる方向に伸び、異なる長さを有し、それぞれに支線取付部を設けてなる腕部を２以上備えてなるように構成することとした。
【０００８】
かかる構成を有する支線取付具であれば、長さの異なる二以上の腕部のうちのいずれを立設状態にするかを選択し、そのように支線固定部材を躯体固定部材に取付けるだけで支線取付部の高さを自在に変更することができる。よって、建物の構造上支線取付具の取付位置（高さ）が制限されたり、軒先屋根部分の厚さが大きかったり、或いは逆に小さかったりしても、支線取付部の高さを変更して対処することができるから建物毎に異なる支線取付具を用意する必要がなく、コストを低下することができる。また、本発明の支線取付具は、構造上各腕部の長さに制限がないから、特開平８−３３０８２４号に開示された支線取付具と比べ、支線取付部の高さの変更幅をより大きく設定することができるという特徴も有している。
【０００９】
上記構成において、支線固定部材の取付状態を維持するように躯体固定部材又は躯体固定部材に係止部を形成するのが好ましい。例えば、図１及び図２に示すように、支線固定部材の各腕部に係合穴を設ける一方、躯体固定部材に係止爪部を設けておき、係合穴と係止爪部との係合によって支線固定部材の取付状態を維持するように構成することもできるし、或いは図６に示すように、躯体固定部材に挟持部を設け、この挟持部で支線固定部材を挟持するように構成することもできる。
【００１０】
なお、上記構成の支線取付け具において、躯体固着部、張出部及び支線固定部材取付部は、これらのうちの二以上を組み合わせて一体に形成することもできるし、また、それぞれ別体に形成することもできる。
【００１１】
【発明の実施の形態】
次に、本発明の好適な実施例について図面を参照して説明する。
【００１２】
（実施例１）
本実施例に係る支線取付け具１は、図１〜図３に示すように、躯体固定部材２と、これとは別体の支線固定部材３とから構成してある。
【００１３】
躯体固定部材２は、金属板を適宜形状に裁断し折曲加工したものであり、図４に示すように、躯体壁面に固着する躯体固着垂直面部４の上端部を外側に折曲してやや下り傾斜状に張出してなる張出部５を形成し、この張出部５の先端部をやや外側に傾斜するように起立させて支線固定部材取付片部６を形成し、この支線固定部材取付片部６の上縁部から外側水平方向に突設するように係止爪部７を形成して構成してある。そして、躯体固着垂直面部４には躯体固着用のネジ穴８、８を穿設し、支線固定部材取付片部６にはボルト挿通孔９を穿孔してある。
【００１４】
他方、支線固定部材３は、図１及び図２に示すように、金属板を折曲加工してＬ字片状に形成してあり、互いに直交する方向に伸び、かつ異なる長さからなる板片状の腕部１１、１２を有し、各腕部１１、１２には、先端部付近に二つの支線取付孔１４、１４を穿設して支線取付部を形成すると共に腕部基端部付近に係合穴１５を穿設し、両腕部１１、１２が交差する支点部分１６にはボルト挿通孔１７を穿設してある。
【００１５】
上記構成からなる支線取付け具１は、次のようにして使用することができる。
【００１６】
あらかじめ支線取付け具１は、躯体固定部材２の支線固定部材取付片部６と支線固定部材３の支点部分１６とを合わせてボルト挿通孔９、１７にボルト２０を挿通しナット２１で軽く締めるようにして躯体固定部材２と支線固定部材３とを連結させておくのが好ましい。
【００１７】
支線取付け具１を取付けるに当たっては、先ず、図３に示すように、躯体固着垂直面部４を軒先下方の鼻隠し板に当接し、ネジ穴８，８にネジ２２を打ち込んで鼻隠し板に躯体固着垂直面部４を固着し、躯体固定部材２を躯体に固定する。
【００１８】
次いで、ボルト２０及びナット２１による連結部を軸に支線固定部材３を回転させて腕部１１、１２のいずれを立設状態とするか選択し（図ではより長尺の腕部１１を立設するように選択している。）、支線固定部材３の取付状態が決定したところでボルト２０及びナット２１を締め付けて支線固定部材３を躯体固定部材２に固定する。この際、支線固定部材３を回転させていくと所定の位置で係止爪部７が係合穴１５内に係合して支線固定部材３の正しい取り付け状態（角度）を知ることができ、しかも、支線固定部材３を固定した後に仮にボルト２０及びナット２１が緩んだとしても当該係合によって支線固定部材３が少なくとも回転方向に動くのを阻止され、取り付け状態を維持することができる。
ただし、支線取付け具１の取付方法は上記の手順に限定されるものではない。、例えば、予め腕部１１、１２のいずれを立設状態とするか選択し、かつそのように支線固定部材３を躯体固定部材２に取付けておき、これを躯体に取付けるようにすることも勿論可能である。
【００１９】
支線取付具１を躯体に取付けた後は、一側端部をアンテナ支柱等に結び付けて屋根材に沿って張った支線Ａの他側端部を腕部１１又は１２の支線取付孔１４、１４に結び付ければ支線Ａを張設することができる。
【００２０】
以上のように、上記構成からなる支線取付具１によれば、躯体固定部材２に対する支線固定部材３の取付状態（角度）を変更するだけで支線取付部（支線取付孔１４）の高さを自在に変更することができる。しかも、係止爪部７と係合穴１５との係合によって支線固定部材３の正しい取り付け状態（角度）を知ることができ、更には支線固定部材３の取付け状態を確保することができるから支線Ａの緩みを防止することができる。
【００２１】
なお、上記の支線取付具１の支線固定部材３は直交方向に伸びた２つの腕部１１、１２を有しているが、図５に示すように、Ｔ字状に形成し、異なる長さからなる３つの腕部１１、１２、１３を形成し、各腕部１１，１２、１３に支線取付孔１４、１４を穿設すると共に腕部基端部付近に係合穴１５を穿設し、両腕部１１、１２、１３が交差する支点部分１６にボルト挿通孔１７を穿設するように形成することもできる。このように形成すれば支線取付部の高さの変更幅をさらに広げることができる。
また、長さの異なる腕部をより一層多数、すなわち４つ以上形成することも可能であるし、各腕部のなす角度を直角以外の鋭角或いは鈍角に設定して形成することもできる。
【００２２】
（実施例２）
図６は、上記支線取付具１とは異なる実施例に係る支線取付具２１を示したものであり、この支線取付具２１は、金属板を折曲形成してなる躯体固定部材２２と、棒状部材を折曲形成してなる支線固定部材２３とから構成してある。
【００２３】
躯体固定部材２２は、上記躯体固定部材２において、係止爪部７を形成する代わりに、支線固定部材取付片部６の上端中央部分を支線固定部材２３を嵌合し得る幅をもって適宜深さ切除し、残された両側部分を躯体側水平方向に折曲して係止爪２７、２７を形成し、これら係止爪２７、２７間で支線固定部材２３を嵌合することができるように形成してある。
【００２４】
他方、支線固定部材２３は、金属、セラミック、硬質合成樹脂等からなる棒部材をＬ字状に折曲し、互いに直交する方向に伸び、かつ異なる長さを有する腕部３１、３２を形成し、各腕部３１，３２の先端部を躯体側（内側）に向けて折曲し略水平若しくは屋根勾配に沿って若干傾斜してなる支線取付部３３を形成すると共に、各支線取付部３３には支線取付孔３４を穿孔してある。また、両腕部２１、２２が交差する支点部分には、上記支線取付具１同様ボルト挿通孔を穿設してあり、ボルト挿通孔１９、２７にボルト２０を挿通しナット２１で締めることによって躯体固定部材２２と支線固定部材３３とを連結するように構成してある。
【００２５】
上記構成からなる支線取付け具２１も、上記支線取付具１同様、ボルト２０及びナット２１による連結部を軸にして支線固定部材２３を回転させて腕部３１、３２のうちのいずれを立設状態とするか選択することができ、これによって支線取付部３３（支線取付孔３４）の高さを自在に変更することができる。そして、この支線取付け具２１においては、係止爪２７、２７間で支線固定部材２３を嵌合することができるようになっているから、支線固定部材２３の正しい取り付け角度を知ることができ、しかも、支線固定部材２３が取付後に動いて支線Ａの張設が緩むことがないようになっている。
【００２６】
なお、上記いずれの支線取付具においても、腕部の長さ方向に適宜間隔をおいて複数の支線取付孔を穿設することによって、支線取付部の高さを更に微妙に調整し得るように構成することもできる。
また、支線取付部は上述のように取付孔を設けて結び付ける構成のほか、支線を巻き付ける突出部を形成するようにするなど、任意に形成可能である。
【図面の簡単な説明】
【図１】本発明の一実施例に係る支線取付具の一例を示した斜視図である。
【図２】同じく、図１の支線取付具を示した斜視図である。
【図３】図１の支線取付具の取付状態及びこれを用いての支線の取り付け状態を示した断面図である。
【図４】図１の支線取付具を構成する躯体固定部材を示した斜視図である。
【図５】図１の支線取付具の変形例を示した斜視図である。
【図６】本発明の他の一実施例に係る支線取付具の一例を示した斜視図である。
【図７】従来の支線取付具及びこれを用いての支線の取り付け状態を示した側面図である。
【符号の説明】
１    支線取付け具
２    躯体固定部材
３    支線固定部材
４    躯体固着垂直面部
５    張出部
６    支線固定部材取付片部
７    係止爪部
８    ネジ穴
９    ボルト挿通孔
１１，１２、１３  腕部
１４    支線取付孔
１５    係合穴
１６    支点部分
１７    ボルト挿通孔
２１    支線取付具
２２    躯体固定部材
２３    支線固定部材
２７    係止爪
３１，３２  腕部
３３    支線取付部
３４    支線取付孔
【図１】
0003784237.tif 000002
【図２】
0003784237.tif 000003
【図３】
0003784237.tif 000004
【図４】
0003784237.tif 000005
【図５】
0003784237.tif 000006
【図６】
0003784237.tif 000007
【図７】
0003784237.tif 000008